(57)【要約】【課題】  多数の物品を不具合無く陳列することができる陳列具を提供する。【解決手段】  第１シート部材１１の表面１３に複数の物品１４を取り外し自在に設け、この第１シート部材１１の表面１３側に配置された第２シート部材１２の表面１５にも物品１４を取り外し自在に設ける。第１及び２シート部材１１，１２を同一の基材２１で形成し、両シート部材１１，１２をずれ無く接合した鳩目２３によって接合部２４を構成する。基材２１の上縁３１に沿って分離部３２を延設し、分離部３２より下側の本体部分３３を切り離して分離できるように構成する。【選択図】        図１
2005198850.tif 000002
【特許請求の範囲】
【請求項１】
吊り下げて使用する陳列具において、
表面に複数の物品が取り外し自在に設けられた第１シート部材の表面側に、表面に複数の物品が取り外し自在に設けられた第２シート部材を配置するとともに、前記第１シート部材及び前記第２シート部材の上縁部に、両シート部材を接合してずれを阻止する接合部と、少なくとも前記物品が設けられた前記第２シート部材の本体部分を前記第１シート部材から分離する為の分離部とを設けたことを特徴とする陳列具。
【請求項２】
少なくとも前記第２シート部材の前記接合部から前記物品が取り付けられた取付領域との間に、表面側へ折曲する為の谷折り部と、裏面側へ折曲する為の山折り部とを幅方向に延設するとともに、前記谷折り部を前記山折り部より前記接合部側に設定したことを特徴とする請求項１記載の陳列具。
【請求項３】
前記各シート部材に、上方へ開口したコ字状の第１切り込みを設け、該第１切り込みの内側に表面側へ切り起こされる舌片を形成するとともに、該舌片に、下方へ開口したコ字状の第２切り込みを設け、該第２切り込みの内側に前記物品に設けられたスリットに差し込まれる差込部を設けたことを特徴とする請求項１又は２記載の陳列具。
【発明の詳細な説明】
【技術分野】
【０００１】
本発明は、物品を吊り下げて陳列する陳列具に関する。
【背景技術】
【０００２】
従来、物品を陳列する際には、陳列具が用いられていた（例えば、特許文献１参照。）。
【０００３】
この陳列具は、スリットが設けられた台紙からなり、商品をスリットに差し込むことで、着脱自在に取り付けられるように構成されている。
【０００４】
これにより、この陳列具に取り付けられた商品を個別に取り外し、購入できるように構成されている。
【特許文献１】特開平９−４７３３９号公報
【発明の開示】
【発明が解決しようとする課題】
【０００５】
しかしながら、このような陳列具にあっては、係止された総ての商品が取り外された場合、商品が取り付けられた新たな陳列具と交換しなければならず、交換が遅れると販売機会を逃すこととなる。
【０００６】
これを防止するため、予め複数の陳列具を陳列フックに係止しておくことが考えられるが、この場合、手前側に配置された陳列具の背面が奥側の陳列具に設けられた商品と干渉し、前後の陳列具に横方向へのずれ力が生じてしまう。すると、前後の陳列具が横方向に広がり、左右の陳列品を隠してしまうという問題があった。
【０００７】
本発明は、このような従来の課題に鑑みてなされたものであり、多数の物品を不具合無く陳列することができる陳列具を提供することを目的とするものである。
【課題を解決するための手段】
【０００８】
前記課題を解決するために本発明の請求項１の陳列具にあっては、吊り下げて使用する陳列具において、表面に複数の物品が取り外し自在に設けられた第１シート部材の表面側に、表面に複数の物品が取り外し自在に設けられた第２シート部材を配置するとともに、前記第１シート部材及び前記第２シート部材の上縁部に、両シート部材を接合してずれを阻止する接合部と、少なくとも前記物品が設けられた前記第２シート部材の本体部分を前記第１シート部材から分離する為の分離部とを設けた。
【０００９】
すなわち、この陳列具は、複数の物品が設けられた第１シート部材と第２シート部材とを備えており、シート部材単体からなる陳列具と比較して、より多くの物品が陳列される。
【００１０】
また、前後に重ねて配置された両シート部材は、上縁部に設けられた接合部で接合されることによって、不用意なずれが防止される。
【００１１】
そして、前記両シート部材の上縁部には、少なくとも前記第２シート部材の本体部分を前記第１シート部材から分離する為の分離部が設定されており、表面側の第２シート部材に設けられた物品の総てが取り外された際には、この分離部によって前記第２シート部材の本体部分は前記第１シート部材から分離される。
【００１２】
なお、本発明の分離部としては、使用時に分離する為の部分が設けられていることを示すものである。
【００１３】
また、請求項２の陳列具においては、少なくとも前記第２シート部材の前記接合部から前記物品が取り付けられた取付領域との間に、表面側へ折曲する為の谷折り部と、裏面側へ折曲する為の山折り部とを幅方向に延設するとともに、前記谷折り部を前記山折り部より前記接合部側に設定した。
【００１４】
すなわち、第１シート部材に設けられた物品が厚肉の場合、第１シート部材の物品が裏面に当接する第２シート部材は斜めになり、下縁部が前方へ突出し得る。
【００１５】
そこで、第２シート部材を、谷折り部にて表面側へ折曲した後、山折り部にて裏面側へ折曲することによって、前記谷折り部と前記山折り部との間に、前記物品の厚み分、前方へ迂回する迂回代が形成される。
【００１６】
さらに、請求項３の陳列具では、前記各シート部材に、上方へ開口したコ字状の第１切り込みを設け、該第１切り込みの内側に表面側へ切り起こされる舌片を形成するとともに、該舌片に、下方へ開口したコ字状の第２切り込みを設け、該第２切り込みの内側に前記物品に設けられたスリットに差し込まれる差込部を設けた。
【００１７】
すなわち、物品を取り付ける際には、第１切り込みの内側に形成された舌片を切り起こすとともに、該舌片の第２切り込みの内側に設けられた差込部を、物品に設けられたスリットへ表面側から差し込む。
【００１８】
これにより、前記物品は、前記差込部が前記スリットの下方から差し込まれた状態で支持される。
【００１９】
また、物品を取り外す際には、前記舌片を手前側に切り起こすとともに、前記差込部を奥側へ傾倒して前記スリットから引き抜く。これにより、前記物品は、取り外される。
【発明の効果】
【００２０】
以上説明したように本発明の請求項１の陳列具にあっては、複数の物品が設けられた第１シート部材と第２シート部材とを備えることにより、シート部材単体の場合と比較して、より多くの物品を陳列することができる。
【００２１】
このとき、前後に重ねて配置される両シート部材は、上縁部に設けられた接合部で接合されることにより、不用意なずれが防止されている。このため、複数の物品が設けられた台紙からなる陳列具を陳列フックに複数係止した際に手前側の陳列具の背面が奥側の陳列具の物品と干渉して前後の陳列具に横ずれが生じてしまう従来と比較して、前記両シート部材の横ずれを確実に防止することができる。これにより、左右の陳列品を隠してしまうといった不具合を解消することができる。
【００２２】
そして、前記両シート部材の上縁部には、少なくとも前記第２シート部材の本体部分をを前記第１シート部材から分離する為の分離部が設定されており、表面側の第２シート部材に設けられた物品の総てが取り外された際には、この分離部によって前記本体部分を前記第１シート部材から分離することができる。これにより、前記第２シート部材で覆われた前記第１シート部材の物品を表出することができるため、物品が取り付けられた新たな陳列具と交換しなければならなかった従来のように、交換に手間取り販売機会を逃すといった問題を解消することができる。
【００２３】
また、請求項２の陳列具においては、第２シート部材を、谷折り部で表面側へ折曲するとともに山折り部で裏面側へ折曲することで、前記谷折り部と前記山折り部との間に、第１シート部材に設けられた物品の厚み分、前方へ迂回する迂回代を形成することができる。
【００２４】
これにより、第２シート部材を第１シート部材に沿って配置することができ、陳列時の外観品質を高めることができる。また、第１シート部材の物品が第２シート部材で押し潰されるといった不具合も防止することができる。
【００２５】
さらに、請求項３の陳列具では、各シート部材に、第２切り込みが内側に設けられた第１切り込みを設けるだけで、物品を取り付ける取付部を形成することができる。
【００２６】
そして、前記第２切り込みの内側に形成された差込部を、物品のスリットに抜き差しするだけで、物品を着脱することができる。よって、物品周縁の複数箇所を台紙のスリットに差し込んで取り付ける従来と比較して、物品の取り付け取り外し性が向上する。
【発明を実施するための最良の形態】
【００２７】
以下、本発明の一実施の形態を図に従って説明する。図１は、本実施の形態にかかる陳列具１を示す図であり、該陳列具１は、例えば店頭に吊り下げて使用するものである。
【００２８】
この陳列具１は、縦長の長方形状に形成された第１シート部材１１と第２シート部材１２とによって構成されている。前記第１シート部材１１の表面１３には、複数の物品１４，・・・が取り外し自在に設けられており、この第１シート部材１１の表面１３側に配置された前記第２シート部材１２の表面１５にも、前述と同様の物品１４，・・・が取り外し自在に設けられている。
【００２９】
これらの物品１４，・・・は、台紙１６と膨出部１７が形成されたプラスチック製の収容部１８とからなり、前記膨出部１７内に収容された防虫剤が前記台紙１６によって保持されている。なお、第１シート部材１１に設けられた物品１４と第２シート部材１２に設けられた物品１４とは、異なる物品であっても良い。
【００３０】
奥側に配置された前記第１シート部材１１及び手前側に配置された前記第２シート部材１２は、図２（第２シート部材１２のみを図示）にも示すように、ボール紙からなる同一の基材２１で形成されており、その上縁部には、二箇所に円形穴２２，２２が並設されている。各円形穴２２，２２には、図１に示したように、鳩目２３，２３が挿入されカシメられるように構成されており、前記両シート部材１１，１２は、各円形穴２２，２２に挿入された鳩目２３，２３によって接合されるように構成されている。これにより、前記両鳩目２３，２３によって前記両シート部材１１，１２を接合するとともにずれを阻止する接合部２４，２４が構成されている。
【００３１】
この鳩目２３，２３には、吊紐２５の端部が結ばれており、吊紐２５は、フック２６に挿通されている。これにより、このフック２６を陳列棚等に係止することで、当該陳列具１を吊り下げた状態で陳列できるように構成されている。
【００３２】
前記円形穴２２，２２の下部には、図２にも示したように、上縁３１に沿って延在する分離部３２が幅方向の全域に渡って設けられている。この分離部３２は、当該基材２１を貫通した破線からなるミシン目によって構成されており、当該分離部３２を境とする上部と下部とを切り離して分離できるように構成されている。これにより、前記第２シート部材１２に設けられた前記分離部３２に沿って切断することで、該分離部３２より下側の本体部分３３を前記第１シート部材１１から分離できるように構成されている。
【００３３】
なお、この分離部３２は、ハサミによる切断をガイドする切取線表示であっても良い。また、前記両シート部材１１，１２を剥離可能に接合するシールで構成しても良い。さらには、特に切取線を示さず、ユーザーが任意の場所で切り取れるようした場合や、特に切取線や破線を示さず、取付金具のようなものから直接ユーザーが切り取れる（カレンダーのように）ようにしても良い。
【００３４】
また、前記分離部３２より下部には、基材２１が線状にプレスされてなる三本の折り曲げ線４１，・・・が幅方向の全域に渡って形成されており、これらの折り曲げ線４１，・・・によって基材２１を表面１５側へ折曲する為の谷折り部４２が当該基材２１の上縁３１に平行して延設されている。この谷折り部４２の下部には、基材２１が線状にプレスされてなる山折り部４３が幅方向の全域に渡って延設されており、この山折り部４３によって当該基材２１を前記上縁３１に平行して裏面側へ折曲できるように構成されている。そして、この山折り部４３より下方には、前記物品１４を二列に並べて上下に等間隔に配置する取付領域４４が設定されている。
【００３５】
この取付領域４４において、前記物品１４が取り付けられる各取付部５１，・・・には、上方へ開口したコ字状の第１切り込み５２が形成されており、該第１切り込み５２の内側には、図３にも示すように、表面１５側へ切り起こされる舌片５３が形成されている。この舌片５３には、図２に示したように、下方へ開口したコ字状の第２切り込み５４が形成されており、該第２切り込み５４の内側には、図３に示したように、前記物品１４の台紙１６の上縁部に設け設けられた横長のスリット５５に差し込まれる差込部５６が形成されている。
【００３６】
そして、前記舌片５３の下部には、半円形状の開口部６１が設けられており、該開口部６１に指を入れることによって、前記舌片５３を容易に切り起こせるように構成されている。
【００３７】
以上の構成にかかる本実施の形態において、複数の物品１４，・・・が設けられた第１シート部材１１と第２シート部材１２とを備えることにより、シート部材単体で構成された陳列具と比較して、より多くの物品１４，・・・を陳列することができる。
【００３８】
このとき、前後に重ねて配置される両シート部材１１，１２は、上縁部に設けられた接合部２４，２４で接合されることにより、不用意なずれが防止されている。このため、複数の物品が設けられた台紙からなる陳列具を陳列フックに複数係止した際に手前側の陳列具の背面が奥側の陳列具の物品と干渉して前後の陳列具に横ずれが生じてしまう従来と比較して、前記両シート部材１１，１２の横ずれを確実に防止することができる。これにより、左右の陳列品を隠してしまうといった不具合を解消することができる。
【００３９】
そして、前記両シート部材１１，１２の上縁部には、少なくとも前記第２シート部材１２の本体部分３３を前記第１シート部材１１から分離する為の分離部３２が設定されており、表面１５側の第２シート部材１２に設けられた物品１４，・・・の総てが取り外された際には、この分離部３２より下の前記本体部分３３を前記第１シート部材１１から分離することができる。これにより、前記第２シート部材１２で覆われた前記第１シート部材１１の物品１４，・・・を表出することができるため、物品が取り付けられた新たな陳列具と交換しなければならなかった従来のように、交換に手間取り販売機会を逃すといった問題を解消することができる。
【００４０】
また、前記第１シート部材１１に設けられた物品１４には、膨出部１７を有する収容部１８が設けられており、厚肉に形成されている。このような場合において、前記第１シート部材１１の物品１４，・・・が裏面に当接する前記第２シート部材１２は斜めになり、その下縁部が前方へ突出することとなる。
【００４１】
そこで、手前側に配置された前記第２シート部材１２を、谷折り部４２にて表面１５側へ折曲した後、山折り部４３にて裏面側へ折曲することで、前記谷折り部４２と前記山折り部４３との間に、前記物品１４の厚み分、前方へ迂回する迂回代７１を形成することができる。
【００４２】
これにより、前記第２シート部材１２を第１シート部材１１に沿って配置することができ、陳列時の外観品質を高めることができる。また、第１シート部材１１の物品１４，・・・が第２シート部材１２で押し潰されるといった不具合も防止することができる。
【００４３】
そして、前記物品１４を取り付ける際には、図３に示したように、各取付部５１に設けられた第１切り込み５２の内側に形成された舌片５３を手前側に切り起こすとともに、該舌片５３の第２切り込み５４の内側に形成された差込部５６を、奥側へ傾倒して物品１４のスリット５５へ表面側から差し込む。これにより、前記物品１４は、前記差込部５６が前記スリット５５の下方から差し込まれた状態で支持される。
【００４４】
一方、物品１４を取り外す際には、前記舌片５３を手前側に切り起こすとともに、前記差込部５６を奥側へ傾倒して前記スリット５５から引き抜く。これにより、前記物品１４は、取り外される。
【００４５】
このように、各シート部材１１，１２に、第２切り込み５４が内側に設けられた第１切り込み５２を設けるだけで、物品１４を取り付ける取付部５１を形成することができる。
【００４６】
そして、前記第２切り込み５４の内側に形成された差込部５６を、物品１４のスリット５５に抜き差しするだけで、物品１４を着脱することができる。よって、物品周縁の複数箇所を台紙のスリットに差し込んで取り付ける従来と比較して、物品１４の取り付け取り外し性が向上する。
【００４７】
なお、本実施の形態では、第１シート部材１１と第２シート部材１２とを重ねて陳列具１を形成した場合を例に挙げて説明したが、これに限定されるものでは無く、少なくとも前述した第１シート部材１１及び第２シート部材１２を備えたものであれば良く、前記基材２１を更に重ねて陳列具を形成しても良い。
【００４８】
また、図４に示すように、第１及び第２シート部材１１，１２からなる陳列具１を背面同士で重ね合わせ、両陳列具１，１を鳩目２３，２３からなる接合部２４，２４で接合してなる陳列具８１を形成しても良い。
【図面の簡単な説明】
【００４９】
【図１】本発明の一実施の形態を示す要部の斜視図である。
【図２】同実施の形態の基材を示す要部の平面図である。
【図３】同実施の形態の取付部を示す要部の拡大図である。
【図４】他の実施の形態を示す要部の側面図である。
【符号の説明】
【００５０】
１    陳列具
１１    第１シート部材
１２    第２シート部材
１３    表面
１４    物品
１５    表面
２４    接合部
３２    分離部
３３    本体部分
４２    谷折り部
４３    山折り部
４４    取付領域
５２    第１切り込み
５３    舌片
５４    第２切り込み
５５    スリット
５６    差込部
８１    陳列具
【図１】
2005198850.tif 000003
【図２】
2005198850.tif 000004
【図３】
2005198850.tif 000005
【図４】
2005198850.tif 000006